(57)【要約】  本発明は、少なくとも１つのフィルム状および／または繊維状の面区間と、少なくとも２つのセンサユニットと、少なくとも１つのデータ収集ユニットとを備えた、発汗性生物の体表面上の発汗を測定するための装置に関する。
2020524008.tif 000002
【特許請求の範囲】
【請求項１】
発汗性生物の体表面の発汗を測定するための装置であって、前記装置は、
少なくとも１つの支持体と、
少なくとも１つのセンサユニットと、
少なくとも１つのデータ収集ユニットと、
を備え、
−前記センサユニットは、液体受容性の面区間であり、前記センサユニットは、前記支持体の一部であるかまたは前記支持体に固定されており、
−前記センサユニットは、少なくとも２つのタイプＡセンサを含み、
−前記センサは、前記データ収集ユニットに線路を用いて導電接続されており、
−前記タイプＡセンサは、導電性であり、特に、抵抗測定および／または導電率測定のための電極および／または接点であり、
−前記データ収集ユニットは、エネルギー供給のための少なくとも１つの手段と、少なくとも１つのタイマーと、前記センサユニットの少なくとも２つの前記タイプＡセンサ間の抵抗測定および／または導電率測定のための少なくとも１つの手段と、測定された抵抗および／または導電率が測定時間に依存して記憶される少なくとも１つのデータ記憶領域と、を有し、
前記センサユニットは、前記発汗性生物の１つの身体領域の上および／または上方に配置可能でかつ一時的に前記身体領域と接触するように配置されていることを特徴とする、
装置。
【請求項２】
前記支持体は、フィルム状、フォーム状および／または繊維状の面区間である、
請求項１記載の装置。
【請求項３】
前記タイプＡセンサは、抵抗および／または導電率を測定するために形成されている、
請求項１または２記載の装置。
【請求項４】
前記装置は、負荷変化を測定するためのタイプＢセンサも備えている、
請求項１から３までの少なくとも１項記載の装置。
【請求項５】
前記データ収集ユニットは、タイプＢセンサとして運動を測定するための手段を備え、運動データは、測定時間に依存してデータ記憶領域に記憶される、
請求項１から４までの少なくとも１項記載の装置。
【請求項６】
前記繊維状の面区間は、織布または不織布である、
請求項１から５までの少なくとも１項記載の装置。
【請求項７】
前記線路は、繊維状の面形成部の一部であり、前記線路は、前記繊維状の面形成部に織り込まれている、
請求項１から６までの少なくとも１項記載の装置。
【請求項８】
前記線路は、前記繊維状の面形成部に固定されており、特に縫い付けによって固定されている、
請求項１から７までの少なくとも１項記載の装置。
【請求項９】
前記タイプＡセンサの配置構成は、すべての前記センサユニットにおいて同様である、
請求項１から８までの少なくとも１項記載の装置。
【請求項１０】
前記装置は、前記センサユニット毎に少なくとも４つの前記タイプＡセンサを備え、２つの前記タイプＡセンサは、センサ対を形成し、前記センサ対間の抵抗および／または導電率が測定される、
請求項１から９までの少なくとも１項記載の装置。
【請求項１１】
前記タイプＡセンサは、マトリックス状に配置されている、
請求項１から１０までの少なくとも１項記載の装置。
【請求項１２】
マトリックス状の配置構成の１つのラインにある前記タイプＡセンサは、相互に導電接続されており、それによって１つのアレイを形成する、
請求項１１記載の装置。
【請求項１３】
前記タイマーは、リアルタイムクロック、主時計または計時器（Timer）である、
請求項１から１２までの少なくとも１項記載の装置。
【請求項１４】
前記データ収集ユニットは、データメモリに格納されたデータを読み出すためのインターフェースを備えている、
請求項１から１３までの少なくとも１項記載の装置。
【請求項１５】
前記インターフェースは、ワイヤレス伝送を可能にする、特にＢｌｕｅｔｏｏｔｈまたはＮＦＣ方式のインターフェースである、
請求項１４記載の装置。
【請求項１６】
発汗性生物の体表面から時間に依存して分泌される汗の量を測定するための方法において、
−第１のステップでは、請求項１から１５までの少なくとも１項記載の装置は、前記装置が体表面から出てくる汗と接触もしくは一時的に接触し得るように、測定すべき体表面の上方に取り付けられ（固定ステップ）、
−第２の反復ステップでは、センサ領域の２つのセンサ間の抵抗および／または導電率が測定され（測定値生成）、前記測定値がデータメモリに格納され（測定値記憶）、
−最終ステップでは、前記データメモリからの測定値が分析および評価のために前記データメモリから読み出される（読み出し過程）ことを特徴とする、
方法。
【発明の詳細な説明】
【技術分野】
【０００１】
本発明は、少なくとも１つのフィルム状および／または繊維状の面区間と、少なくとも１つのセンサユニットと、少なくとも１つのデータ収集ユニットと、を備えた、発汗性生物の体表面上の発汗を測定するための装置に関する。
【背景技術】
【０００２】
多くの生物は、身体の冷却のために汗をかく。人や他の哺乳類の皮膚からいわゆる汗腺を介して分泌される水性分泌物は、汗（ギリシャ語；ｉδρωζ  ｈｉｄｒｏｓ）と称される。これらの汗腺は、それらの分泌物の種類に応じて２種類に、すなわちエクリン汗腺とアポクリン汗腺とに区別される。
【０００３】
エクリン汗腺は、人の場合、実際には身体全体にわたって分布しており、これらのエクリン汗腺は、９９％以上が水分からなりかつその他はとりわけＮａ＋、Ｃｌ−、Ｋ＋、乳酸塩およびアミノ酸ならびに尿素などの電解質を含む透明で無臭の分泌物を相当量生成し得る。その他に、汗にはまだ僅かな濃度の糖分およびアスコルビン酸が存在する。ｐＨ値はｐＨ４．５の酸性領域にある。それとは対照的に、アポクリン汗腺は、脇の下や生殖器領域の多毛の身体領域ならびに乳頭においてのみ存在する。これらのアポクリン汗腺は、タンパク質や脂質を含みかつｐＨ値がほぼ中性（ｐＨ７．２）の乳状分泌物を少量生成する。
【０００４】
新鮮な汗は完全に無臭である。長鎖脂肪酸が、酪酸やギ酸などのより短い鎖に分解されて初めて、典型的な汗臭が引き起こされる。それに対しては、自然な皮膚細菌叢に数えられる様々なバクテリアが原因となる。１つの例外は思春期であり、すなわち、体内の様々なホルモンに起因するプロセスによって、既に新鮮な汗も匂いがすることがある。
【０００５】
発汗のプロセスは、蒸散とも称される。汗の過剰な病的分泌は、多汗症とも称される。発汗量が減少しているかまたは完全に失われている場合、乏汗症もしくは無汗症と称される。
【０００６】
発汗は、多くの人から不快と感じられる。なぜなら、汗の分泌は、心理的に汗臭の形成に結びつくからである。
【０００７】
それゆえ、人は、汗もしくは汗臭の形成を抑制しようと試みる。
【０００８】
発生する汗臭に対する原因の１つとしての発汗量を抑制するために、市場ではいわゆる制汗製剤が提供されている。これらの制汗剤、制汗製剤もしくは止汗剤（発汗抑制剤、英語表記；antiperspirants）は、汗腺の活動を低下させ、それによって、体臭の発生を低減する物質である。制汗剤として最も頻繁に使用される物質は、アルミニウムクロロハイドレート（ＡＣＨ）であり、これは、スプレー、ロールオン投与またはスティックの形態で対応する身体領域に塗布することができる。
【０００９】
汗臭自体を抑制するために、市場では、デオドラントと称される数十年来の化粧用製剤が存在する。略してデオとも称されるデオドラント（デゾドラントとも、ラテン語表記；Entriecher）は、不快な体臭を克服するために、主に脇の下に塗布されるボディケア製剤であり、これに対する専門用語は消臭である。この克服は、この場合、一方では汗臭を覆う香料剤の塗布を介して行われ、他方では汗の分解に対する原因となる微生物の不活性化（死滅）によって行われる。
【００１０】
また、制汗剤のみならず香料および殺菌剤も含む製剤も存在する。それゆえ、一般的慣用語においては、製品がどの効果を達成するかで区別することなく、単に「デオ」と言われることが多い。
【００１１】
制汗剤製品またはデゾドラント製品の有効性を特定するためには、いくつかの古典的な方法が存在する。例えば、制汗剤調剤の有効性は、当該調剤が例えば脇領域に塗布され、当該塗布箇所が液体吸収材料で覆われることによって特定される。重量測定を介して、分離した汗の量に関する情報が得られる。これらの測定は、様々な負荷状況下、例えば熱気浴（ホットルームテスト）または自転車漕ぎによる人間工学的負荷のもとで行うことができる。
【００１２】
後続する嗅覚テストによれば、汗臭の発生と強さを経験的に特定することも可能である。
【００１３】
これらの標準的な方法は大きな欠点を有する。というのも、汗の受容は常に所定の期間にわたって総合的に行われるため、負荷状況に依存する汗の量の時間依存性に関する情報を合致させることができないからである。第２の欠点は、汗を生成する皮膚領域への液体吸収材料の貼り付けのみで、測定値の改ざんがもたらされることである。そのような貼り付けは、詳細には、貼り付けなしの通常の場合に、汗を生成する皮膚領域周りに生じる微気候を大幅に損なわせることにつながる。通常、貼り付けは、覆われた領域における発汗の増加を引き起こす。
【００１４】
国際公開第２０１６０８７３８１号からは、健康データを生成するためのコンピュータ上で実行する方法またはシステムが公知である。この方法は、携帯型装置の１つ以上のセンサにより所定の時間間隔にわたって測定されるセンサデータセットを受信するステップを含み、ここで、センサデータセットは、携帯型装置のユーザーの身体パラメータの時系列プロファイルを所定の時間間隔にわたって示している。この方法はまた、時系列プロファイルに対応するユーザーの活動タイプを決定するステップと、健康特徴に結びつく値を計算するステップと、を含み、ここでは、値は、活動タイプの基準に基づいて計算される。
【００１５】
国際公開第２０１１０９４８１９号明細書では、被験者に結びつく環境データおよび生理学的データの管理および検出のための監視システムが提示されている。このシステムは、好適には、複数のセンサ、例えば圧力センサ、心拍センサ、温度センサ、ひずみゲージを備えた衣服、特にＴシャツを含む。衣服は電子モジュール（１５）を備え、電子モジュール（１５）は送信機測位モジュールを含む。センサーデータおよび位置情報は、送信機を介してヘッドユニットまたは基地局に継続処理のために伝送される。
【００１６】
中国特許出願公開第１０５０２９７１５号明細書は、インテリジェンスメンズズボンを開示している。このズボンは、前部と後部とからなり、ここで、前部の底部と後部の底部とが接続されて股上を形成している。また、前部の側縁部と後部の側縁部とが接続されて、足をその中に延ばすことができる開口部を形成している。股上の位置には中間層が形成される。この中間層には、温度センサと湿度センサが配置されている。制御チップは、ズボン本体のヘッドに配置されている。温度センサと湿度センサとが、外部絶縁層を備えたワイヤを介して制御パケットに接続されている。これらの温度センサと湿度センサとによって、尿の排泄が検出され、制御チップに伝送され、この制御チップは、信号伝送回路に関する情報を、対応するクライアント側に伝送する。それにより、失禁事故のリアルタイム監視機能が得られ、人の健康が保証される。その上さらに、温度センサ、制御チップ、ボタンセルにはそれぞれ防水層が備えられており、これによって、ズボンの洗濯が可能である。
【００１７】
国際公開第２０１６０９３９１５号からは、ユーザー身体に直接接触し得るように第１の可撓性基板の第１の側に配置された複数の第１のセンサを含む第１の可撓性基板と、該第１の可撓性基板の第２の側に配置された第１の導電性コネクタセットと、を含む、携帯型センサ装置が公知である。ここで、第２の可撓性基板は、第２の導電性コネクタセットを有し、該第２の導電性コネクタセットは、第２の可撓性基板を第１の可撓性基板に機械的および電気的に結合させかつ１つの回路装置に配置するために、第１の導電性コネクタセットと互換性のある第２の可撓性基板の第１の側に配置されている。第２の可撓性基板の第２の側は、測定値の受信と処理のために設けられており、これらの測定値は、センサから第１および第２の導電性コネクタセットを介して提供される。
【００１８】
広範な従来技術にもかかわらず、当業者には、発汗を時間分解して実際の条件のもとで測定および比較できる方法が欠けている。
【発明の概要】
【課題を解決するための手段】
【００１９】
当業者にとって、以下のような装置は驚くべきものとなった。すなわち、
少なくとも１つの支持体と、少なくとも１つのセンサユニットと、少なくとも１つのデータ収集ユニットと、を備えた、発汗性生物の体表面の発汗を測定するための装置において、
−センサユニットは、液体受容性の面区間であり、ここで、センサユニットは、支持体の一部であるかまたは当該支持体に固定されており、
−センサユニットは、それぞれ少なくとも２つのタイプＡセンサを含み、
−センサは、データ収集ユニットに線路を用いて導電接続されており、
−タイプＡセンサは、抵抗測定および／または導電率測定のための電極および／または接点であり、
−データ収集ユニットは、エネルギー供給のための少なくとも１つの手段と、少なくとも１つのタイマーと、センサユニットの少なくとも２つのタイプＡセンサ間の抵抗測定および／または導電率測定のための少なくとも１つの手段と、測定された抵抗および／または導電率が測定時間に依存して記憶される少なくとも１つのデータ記憶領域と、を有し、
ここで、センサユニットは、発汗性生物の１つの身体領域の上および／または上方に配置可能でかつ一時的に当該身体領域と接触するように支持体に配置されていることを特徴とする装置である。この装置は、発汗性生物の体表面の発汗を測定するのに非常に適している。
【００２０】
そのような装置を用いることにより、所定の期間内で身体領域内において、分泌された汗の量を検出することが可能である。この目的のために、当該装置は、センサユニットがそれぞれ測定領域の上方に配置されかつ２つのセンサ間で測定された導電率および／または抵抗が測定時間とセンサユニットとに依存してデータメモリに記憶されるように、身体に配置される。これらの測定は、比較的長い期間にわたって実施され、この場合、事前に決定すべき時間間隔でそれぞれ１つの測定がセンサ対毎に行われる。測定の完了後、収集されたデータは、データメモリから読み出され、評価することが可能である。
【００２１】
発汗量の測定は、本発明による装置を用いれば、汗の量（体積または質量）が検出されるのではなく、支持体材料中もしくは支持体材料上の汗の受容によって起こるセンサ間の抵抗変化もしくは導電率変化が検出されることによって間接的にのみ行われる。
【００２２】
本発明によれば、好適には、支持体は、体表面から分泌される汗を受容する。汗の受容により、濡れた領域において、電気抵抗が減少するかもしくは支持体の導電率が高くなる。
【００２３】
好適には、支持体材料は、織布または不織布から形成される。それにより、本発明による装置は、例えば、検査すべき個人に動きの自由度に関する制限を一切課さない衣服の一部として形成されている。
【００２４】
スポーツ繊維製品の分野において、当業者は、非常に良好な汗の受容性を示す合成繊維または天然繊維から製造された一連の織布または不織布（英語表記；ｎｏｎｗｏｖｅｎ）を見いだしている。
【００２５】
特に好適には、綿繊維からなる織布である。なぜなら、これらの織布は、容易に加工することができ、特別な処理なしでも良好な汗の受容容量を示すからである。
【００２６】
しかしながら、本発明の趣旨では、液体を受容する他の平坦な材料、例えばフロック加工されたフィルムまたはフォーム、特に開放気泡のフォームも支持体として使用することができる。
【００２７】
データ収集ユニットとセンサとの間の導電性接続路（線路）は、絶縁ワイヤとして実行することができ、この場合、これらのワイヤは、最も簡単なケースでは、縫製、接着、または溶接によって支持体に固定することができる。
【００２８】
好適には、これらの線路は、クロスステッチによる縫い付けによって支持体上に固定することができる。
【００２９】
検査すべき領域への線路の影響を回避するために、好適には、これらの線路は、検査すべき領域とは反対側の面に固定することができる。これにより、皮膚の導電率への影響は可及的に僅かに抑えられる。
【００３０】
しかしながら、特に好適には、これらの導電性接続路は、支持体材料の製造の際にこれらに織り込まれる（織布）かまたは挿入されている（不織布）。
【００３１】
線路として、絶縁材料からなる外皮によって取り囲まれた非常に細い複数の個別ワイヤ（導体路）からなる従来のストランドが適している。
【００３２】
これらの線路には、汗や洗浄液と結びついて腐食が現れないことが重要である。銀メッキされた銅、銀、金、白金、またはステンレス鋼からなる線路は特に好適である。銅や銀のような貴金属が少ない場合、表面は非常に薄い緑青（例えば酸化物、硫化物、酢酸塩）によって覆われる。この緑青は変色として見えるが、測定には干渉しない。
【００３３】
本発明の趣旨では、また、導電性材料の薄い層による電気的線路が支持体上に印刷され得るか、もしくは転写技術を用いて支持体上に転写され得る。この目的のために、好適には導電性の銀コーディングまたはグラファイトコーティングがなされる。
【００３４】
支持体材料が弾性的であるならば、それを引き伸ばした際には、線路が損傷したり、破れたり、もしくは裂けたりする可能性がある。それゆえ、好適には、線路は、直線的に形成されるのではなく、線路は波形またはループ状に支持体材料に被着され得る。この波形／ループ状の配線により、支持体材料に対して類似の伸張が可能である。
【００３５】
線路をデータ収集ユニットまたはセンサに接続するために、当業者には多くの手段、とりわけプラグイン接続、クランプ接続、溶接接続またははんだ付け接続が利用可能である。
【００３６】
好適には、本発明の枠内では、電気的線路は、はんだ付けを用いてデータ収集ユニットに接続され得る。はんだ付け接続は、修理時に簡単に開くことができるが、例えばプラグイン接続時やクランプ接続時のケースのように、動作中に接触抵抗を形成しないという利点を有する。
【００３７】
センサユニットは、本発明によれば、センサが配置されている支持体の液体受容性の部分面と見なされ得る。この部分面は、支持体材料に対応することができ、そのため、センサによって占有されない支持体材料領域に対するセンサユニットの制限は起きない。しかしながら、センサ領域は、本発明の趣旨では、支持体材料の残りとは異なる材料特性を有する、支持体内に統合されるかまたは支持体上に固定される面区間であってもよい。センサユニットが独立した面区間であるならば、この面区間は液体受容性の材料からなっていなければならない。したがって、本来の支持体は液体受容性である必要はない。というのも、抵抗測定および／または導電率測定のために必要な液体吸収がそこからセンサユニット自体において行われるからである。
【００３８】
タイプＡセンサは、２つのタイプＡセンサ間に広がる空間の抵抗および／または導電率を測定することができるようにするために用いられる。それゆえ、タイプＡセンサ自体は、導電性の電極および／または接点でなければならない。
【００３９】
本発明による装置に対して適したタイプＡセンサは、最も簡単なケースでは、電気的線路の短い区間によって形成され、この場合、これらの短い区間は、絶縁体を支持しないことによって優れている。絶縁体のない領域は、２つのタイプＡセンサ間の導電接続の形成を可能にし、この場合、タイプＡセンサ間の導電接続は、支持体材料によって吸収された、電解質として働く汗によって形成される。
【００４０】
タイプＡセンサは、線路の材料とは異なっている材料の電極として構成されてもよい。例えば、導体路が挟み込まれている白金または金からなる小型のリベットによって構成されてもよい。
【００４１】
受容された汗の量と組成とに応じて、センサ間の抵抗と導電率とが変化する。支持体材料上での２つのセンサ間で受容された汗が多ければ多いほど、抵抗は減少するかもしくは導電率が高くなる。比喩的に言えば、抵抗測定および／または導電率測定によって、小さな汗染みから大きな汗染みまで区別することができる。発汗量の増加に伴い汗染みは増加し、汗が支持体内に吸収され、平らに広がるため、それによって、生成された汗の量に関する定性的な情報を得ることができる。
【００４２】
２つ以上のタイプＡセンサがセンサユニットの枠内でマトリックスが形成されるように配置されている場合、タイプＡセンサ間の抵抗および／または導電率の測定により、汗に浸された領域の準備またはサイズを決定することができ、このことは、生成された汗量に対するより正確な逆推論を可能にする。
【００４３】
本発明によれば、好適には、少なくとも４つのタイプＡセンサがセンサユニット内部に配置され得る。
【００４４】
特に好適には、センサユニット内部に１６個以上のタイプＡセンサが配置され得る。この場合、この配置構成は、マトリックスの形態で可及的に対称的に行われる。
【００４５】
データ収集ユニットへの所要の電気的接続の数を減らすために、好適には、２つ以上のタイプＡセンサが短い線路で可及的に直線的なセンサアレイに接続される。それにより、例えば１つのラインに配置されたセンサを４×４マトリックスに接続することができ、そのため、センサユニットは、それぞれ４つのタイプＡセンサからなる４つの平行に延びるセンサアレイを備える。センサアレイに接続されるこれらのセンサは、測定の際には１つのセンサであり、そのため、センサアレイと個々のセンサ間または２つのセンサアレイ間の抵抗および／または導電率が測定される。
【００４６】
脇領域の測定に対して、特に好適には、３×８個のセンサのセンサアレイが選択され得る。この場合は、１つのマトリックスラインの３つのセンサが１つのセンサアレイに接続されて、８つの平行なセンサアレイが形成され、それらの間で測定が行われる。この細長いマトリックスは、利点を有する。なぜなら、特に脇領域で発生するような楕円形の汗染みが良好に特定できるからである。
【００４７】
データ評価ユニットとは、本発明の枠内では、プログラマブルロジックコントローラ（Mikrocontroller）の形態で抵抗測定および／または導電率測定を実施できる電子式測定システムであると理解されたい。データ評価ユニットは、この目的のための最小限の構成として、マイクロプロセッサ、電圧供給部、およびデータメモリを有する。データ評価ユニットは、支持体上に次のように固定されている。すなわち、自身に接続される、同様に支持体上に固定されている線路が、運動の際、特に折り畳みまたは伸張の際に接触を失うことがないように固定されている。好適には、データ評価ユニットは、支持体に接着するかまたは縫製で固定することができる。とりわけ好適には、接続箇所を線路と共に、合成樹脂やシリコンゴムの付加的塗布や粘着テープによって覆い、付加的に保護することができる。
【００４８】
データ評価ユニットは、センサを駆動制御し、測定値を生成し、記憶することができる。インターフェースを用いることにより、記憶されている測定値を制御ユニットから読み出すことができる。
【００４９】
センサ領域における抵抗および／または導電率の測定は、導電性媒体、このケースでは汗の分極効果を阻止するために、適切な交流電圧を用いて、または非常に短い個別の電圧パルスを用いて行うことができる。例えば、センサ領域が脇の領域に配置されている、本発明による装置を備えたＴシャツによれば、発汗量を、通常の一日の経過の中で記録することができる。ここでは、好適には、健康な人の場合、左右の脇における発汗量は、両脇が同じように処理されているかまたは未処理である限り同様に起こる。
【００５０】
１つのセンサ領域に対応付けされる測定値の別個の評価により、２つの身体領域の発汗量の違いを見つけ出すことができる。
【００５１】
２つの異なる身体領域における汗の同時測定は、例えば、制汗剤の有効性を求めるために使用することができる。この目的のために、好適には、皮膚領域として、左右の脇の下を選択し、それらを異なる方法で処理することができる。例えば、本発明による装置を用いれば、脇領域（脇の下−Fossa axillaris）に塗布された制汗剤が、未処理の脇の下から生成される汗の量に比べて発汗量を減少させたかどうかを求めることができる。
【００５２】
同様に、２つの異なる制汗剤を用いて処理された身体領域における測定は、本発明による装置を用いれば可能である。
【００５３】
データ収集ユニットが、時間検出の他に少なくとも１つのさらなるパラメータを測定し、それを抵抗測定値および／または導電率測定値と平行して記憶する場合も、本発明の趣旨の範囲内である。
【００５４】
本発明による装置の好適な実施形態は、１つ以上のタイプＢセンサを備えることが可能である。タイプＢセンサとして好適なのは、１つ以上のモーションセンサおよび／または１つ以上の温度センサおよび／または１つ以上の姿勢センサである。これらの付加的なタイプＢセンサにより、測定期間中に発生した負荷変動が識別されて記録され得る。というのも、身体の負荷は、発汗量に対する重要な要因だからである。身体活動の増加および／または周辺温度の上昇は、身体のより多くの冷却を必要とし、そのことから通常は、発汗量の増加が引き起こされる。
【００５５】
例えば、姿勢センサを用いることにより、被験者が寝ているかどうかを識別することができ、それは横臥位で行われているのかまたは仰臥位で行われているのかを識別することができる。患者が横臥位で寝ているのならば、測定値の改ざんが生じる可能性がある。なぜなら、身体領域の負荷が連続的に異なったり、もしくは温度が異なったりしているからである。寝ている間の姿勢に関しては、例えば突発的な温度変化も説明がつけられる。
【００５６】
特に好適には、装置は、少なくとも１つの姿勢センサと、それぞれ温度センサと、モーションセンサと、を備えることができ、これらのセンサは、データ記録ユニットに接続されている。
【００５７】
タイプＢセンサの配置構成は、センサの数に依存する。それぞれ１つだけの姿勢センサ、モーションセンサ、および温度センサが設けられているならば、それらは、好適には、データ収集ユニットに統合され得る。
【００５８】
装置は、１つの姿勢センサと、２つ以上のモーションセンサおよび温度センサと、を備えているならば、好適には、これらのセンサは、センサユニットの内部に配置され、当該センサは、データ評価ユニットに接続され得る。
【００５９】
データ収集ユニットの一部ではないタイプＢセンサに対して、データ収集ユニットへの接続を無線接続方式として構成し、例えば、それによって、タイプＢセンサが測定値に適した無線信号を送信するかまたはデータを例えばＮＦＣ、Ｂｌｕｅｔｏｏｔｈ毎にデータ収集ユニットに伝送することは、本発明の趣旨の範囲内である。
【００６０】
装置によって受容された汗をより詳細に検査するために、本発明による装置が、タイプＡセンサの他に、データ収集ユニットと接続されたタイプＣのさらなるセンサを備えていることは有利であり得る。
【００６１】
また、本発明の趣旨では、ワイヤレス接続としての接続を、例えばタイプＣセンサにより測定値に適した無線信号を送信することによって、またはデータを例えばＮＦＣ、Ｂｌｕｅｔｏｏｔｈ毎にデータ収集ユニットに伝送することによって形成することも可能である。
【００６２】
汗の分析は、脱水または汗の種類に関する情報を提供する。というのも、ストレス性発汗または熱発汗は、他の汗組成物を示すからである。また、例えば、ＡＴ剤の有効性にも影響を与えかねない汗のｐＨ値に対する処理の影響も存在する。
【００６３】
タイプＣのセンサは、汗の分析に用いられる。汗の分析に対して、特に、ｐＨ値の測定、塩化物、カルシウム、カリウムおよびナトリウムイオンの濃度の測定は、有利であることが証明されている。
【００６４】
それゆえ、タイプＣのセンサとして、ｐＨ値測定、塩化物イオン濃度測定、カルシウム濃度／カルシウムイオン濃度測定、ナトリウム濃度／ナトリウムイオン濃度測定、および／またはカリウム濃度／カリウムイオン濃度測定用のセンサのグループからの少なくとも１つのセンサが有利である。
【００６５】
装置の適用は、以下の方法で明記されている。すなわち、
発汗性生物の体表面から時間に依存して分泌される汗の量を測定するための方法であって、
−第１のステップでは、本発明による装置は、当該装置が体表面から出てくる汗と接触し得るように、測定すべき体表面の上方に取り付けられ（固定ステップ）、
−第２の反復ステップでは、センサ領域の２つのセンサ間の抵抗および／または導電率が測定され（測定値生成）、当該測定値がデータメモリに格納され（測定値記憶）、
−最終ステップでは、データメモリからの測定値が分析および評価のために当該データメモリから読み出される（読み出し過程）、ことを特徴とする。
【００６６】
体表面上に装置を固定するための唯一の条件は、センサユニットを体表面に接触させるなどの方法である。好適には、センサユニットは、衣服を着用したときに自身が脇に位置するように配置され得る。その際、センサユニットは、皮膚表面と常時接触している必要はない。
【００６７】
抵抗および／または導電率の測定は、周期的な間隔で行われる。交互に負荷変動が発生した場合、好適には、１０秒毎に測定が実施され得る。測定が均一な負荷のもとで行われるならば、これらの測定は２分までの間隔で行うことも可能である。
【００６８】
測定値はデータメモリに記憶される。好適には、各測定値に対して、実際の時刻もしくは最初の測定以降の経過時間と、その測定がどのセンサ対に属するかを示す識別子と、が記録され得る。タイプＢおよびタイプＣセンサから得られた測定値も同様に、時間に関連してデータメモリに記憶される。
【００６９】
測定値を評価するために、これらはデータメモリからインターフェースを介して読み出される。データ伝送のためのインターフェースとして、当業者には一連の公知の有線方式および非接触方式の方法が利用可能である。特に、有線方式のインターフェースとしてＵＳＢインターフェースまたはＲＳ−２３２インターフェースを介した通信が好適である。ただし、とりわけ好適なのは、Ｂｌｕｅｔｏｏｔｈ、ＷＬＡＮまたはＮＦＣなどの非接触方式の伝送方法である。なぜなら、これらの伝送方法には、汗や洗浄剤との接触で腐食し得る開放接点が必要ないからである。
【００７０】
これらの非接触方式の伝送方法を用いることで、データ収集ユニットを、自身が絶縁材料によって完全に取り囲まれているように、例えばエポキシ樹脂などの高分子材料で成形されているように絶縁することができる。
【００７１】
以下では、本発明を図面および実施例に基づき説明する。
【図面の簡単な説明】
【００７２】
【図１】本発明による装置の非常に簡素な実施形態を示した図
【図２】センサユニットを備えた支持体の一部を示した図
【図３】本発明によるＴシャツの形態の特異的な実施形態を示した図
【発明を実施するための形態】
【００７３】
図１は、本発明による装置の非常に簡素な実施形態を示している。矩形の支持体１上には、１つのセンサユニット２が配置されている。このセンサユニットは、２つのセンサ３を支持している。センサユニットの他に、データ収集ユニット４が配置されている。このデータ収集ユニットは、線路対５を介して、センサ３と導電接続を形成している。データ収集ユニットは、プログラマブルロジックコントローラ（Mikrocontroller）４ａの形態のマイクロプロセッサ、電圧供給部４ｂおよびデータメモリ４ｃによって測定値を生成して記録することができる。インターフェース４ｄを用いることにより、記憶された測定値は、制御ユニットから読み出すことができる。さらに、支持体は、当該支持体を身体に固定するための手段６ａ，６ｂを有する。これらの帯状の固定手段６ａ，６ｂを用いて、支持体をその端部で結び付けることができ、それによって、身体に固定することができる。
【００７４】
図２は、独立した面区間として支持体上に縫い付けられたセンサユニット２０を備えた支持体１０の一部を示している。このセンサユニットは、全部で１６個のセンサ３０ａ〜３０ｐを支持しており、ここでは、これらのセンサは、４×４マトリックスの形態で配置されている。１つのマトリックスラインにあるそれぞれ４つのセンサ３０ａ〜３０ｄ，３０ｅ〜３０ｈ，３０ｉ〜３０ｌ，３０ｍ〜３０ｐの導電接続により、それぞれ１つのセンサアレイａ１〜ａ４が形成される。これらの４つのセンサアレイは、それぞれ導電性接続路５０を介してデータ収集ユニット４０に接続されている。
【００７５】
図１に示されている実施形態とは対照的に、導電性接続路５は、直線的に形成されているのではなく、波形形状を有している。電気的線路の波形の配線は、支持体の弾性が制限されないか、もしくは最小限にしか制限されないという利点を有する。支持体の拡張の際には、線路内の波形の伸張によって長さ補償が可能である。
【００７６】
図３ａおよび図３ｂは、本発明によるＴシャツの形態の特異的な実施形態を示している。図３ａはＴシャツの前側１を示し、それに対して図３ｂは、このＴシャツに属する後側２を表す。図示のＴシャツは、当該Ｔシャツの着用の際に脇の下にくる領域に１つのセンサユニット３を有する。このセンサユニットは、Ｔシャツの前側１からＴシャツの後側２まで延在している。このＴシャツは、全部で１２個のタイプＡセンサを備えており、この場合、１２個のセンサは、左方の脇の領域にある（センサユニット３）。それぞれ４つのタイプＡセンサは、相互に直線的なアレイに接続されており、そのため、センサユニットは、３つのセンサアレイを有する。各センサアレイは、Ｔシャツの後側で、線路５ａ〜５ｃのうちの１つを用いて、当該Ｔシャツの後側中央に配置されたデータ収集ユニット６に導電接続されている。線路の領域においてもＴシャツの拡張性を保証するために、線路接続は直線的ではなく、波形に形成されていた。データ収集ユニット６は、後側領域２の上方半部に接着されている。
【図１】
2020524008.tif 000003
【図２】
2020524008.tif 000004
【図３ａ】
2020524008.tif 000005
【図３ｂ】
2020524008.tif 000006
【国際調査報告】
2020524008.tif 000007
2020524008.tif 000008
2020524008.tif 000009
2020524008.tif 000010